(57)【要約】【課題】  ファクス送信又はプリンタ印刷のいずれかを選択して処理を行う場合に、個別にドライバを選択する手間をなくし、操作性に優れた印刷データ出力制御プログラムを提供する。【解決手段】  ファクス送信又はプリンタ印刷のいずれの処理を実行するかの指示の入力を促す処理選択メッセージを、表示制御部がパーソナルコンピュータの表示部に表示させ（Ｓ１）、上記いずれの処理を実行するかの指示を受付部が受け付け（Ｓ２）、この受付部が受け付けた指示に基づいて、制御部がプリンタ印刷用データ変換部又はファクス送信用データ変換部のいずれかに印刷データの変換処理を実行させ、変換処理後の印刷データをそのデータ形式に応じてプリンタ又はファクシミリ装置の一方に出力させる（Ｓ２乃至Ｓ６）。【選択図】      図２
2005122554.tif 000002
【特許請求の範囲】
【請求項１】
外部入力による指示に基づいて、コンピュータの記憶部に記憶されている印刷データをファクス送信又はプリンタ印刷させる印刷データ出力制御プログラムであって、
前記ファクス送信又はプリンタ印刷のいずれの処理を実行するかの指示の入力を促す処理選択メッセージを前記コンピュータの表示部に表示させる表示制御手段と、
前記表示制御手段によって前記処理選択メッセージが表示されているときに、前記ファクス送信又はプリンタ印刷のいずれの処理を実行するかの指示を外部入力により受け付ける受付手段と、
前記印刷データをプリンタ印刷用のデータ形式に変換するプリンタ印刷用データ変換手段と、
前記印刷データをファクス送信用のデータ形式に変換するファクス送信用データ変換手段と、
前記プリンタ印刷用データ変換手段又はファクス送信用データ変換手段によって変換されたデータを、データ形式に応じてプリンタ又はファクシミリ装置の一方に出力する出力手段と、
前記受付手段によって受け付けられた指示に基づいて、前記プリンタ印刷用データ変換手段又はファクス送信用データ変換手段のいずれかに前記印刷データの変換処理を実行させ、この変換処理後の印刷データを前記出力手段によって出力させる制御手段として、
コンピュータを機能させることを特徴とする印刷データ出力制御プログラム。
【請求項２】
前記表示制御手段は、前記処理選択メッセージと共に、前記印刷データについて前記ファクス送信又はプリンタ印刷のいずれの処理を実行する場合にも最低限設定される必要がある必須項目を前記表示部に表示させ、
前記受付手段は、前記表示制御手段によって前記必須項目が表示されているときに、この必須項目に対する設定指示を外部入力により受け付け、
前記制御手段は、前記受付手段によって受け付けられた設定指示に基づいて、前記プリンタ印刷用データ変換手段又はファクス送信用データ変換手段のいずれかに前記印刷データの変換処理を実行させることを特徴とする請求項１に記載の印刷データ出力制御プログラム。
【請求項３】
前記受付手段によって受け付けられた設定指示により前記必須項目が設定されたか否かを判別する判別手段を備え、
前記表示制御手段は、前記判別手段によって、不足する必須項目があると判別された場合、不足する必須項目がある旨を前記表示部に表示させることを特徴とする請求項２に記載の印刷データ出力制御プログラム。
【発明の詳細な説明】
【技術分野】
【０００１】
本発明は、コンピュータに記憶された印刷データについて、ファクス送信又はプリンタ印刷のいずれかの処理を選択して実行する印刷データ出力制御プログラムに関する。
【背景技術】
【０００２】
従来、コンピュータでは、文書データや画像データ等からなる印刷データをファクス送信したり、ネットワーク接続等されたプリンタで印刷データを印刷できるようになっている。この場合、印刷データをファクス送信するときは、ファクス送信用のドライバを使用し、プリンタでの印刷を行うときは、ファクス送信用ドライバとは別個のプリンタドライバを使用するようになっている。
【特許文献１】特開２０００−２２４３６６号公報
【発明の開示】
【発明が解決しようとする課題】
【０００３】
上記のようにファクス送信とプリンタ印刷とで別個のドライバを使用する場合、ファクス送信とプリンタ印刷のいずれを行うかに応じて、ユーザが対応するドライバを選択して立ち上げ、各ドライバにおいてファクス送信又はプリンタ印刷のための用紙サイズ等の設定を行わなければならない。そのため、ユーザにドライバを選択する手間が掛かると共に、各ドライバ毎に操作方法が異なるためにユーザに対する操作負担も大きかった。
【０００４】
本発明は、上記の問題を解決するためになされたもので、ファクス送信又はプリンタ印刷のいずれかを選択して処理を行う場合に、個別にドライバを選択する手間がなく、操作性に優れた印刷データ出力制御プログラムを提供することを目的とするものである。
【課題を解決するための手段】
【０００５】
本発明の請求項１に記載の発明は、外部入力による指示に基づいて、コンピュータの記憶部に記憶されている印刷データをファクス送信又はプリンタ印刷させる印刷データ出力制御プログラムであって、
前記ファクス送信又はプリンタ印刷のいずれの処理を実行するかの指示の入力を促す処理選択メッセージを前記コンピュータの表示部に表示させる表示制御手段と、
前記表示制御手段によって前記処理選択メッセージが表示されているときに、前記ファクス送信又はプリンタ印刷のいずれの処理を実行するかの指示を外部入力により受け付ける受付手段と、
前記印刷データをプリンタ印刷用のデータ形式に変換するプリンタ印刷用データ変換手段と、
前記印刷データをファクス送信用のデータ形式に変換するファクス送信用データ変換手段と、
前記プリンタ印刷用データ変換手段又はファクス送信用データ変換手段によって変換されたデータを、データ形式に応じてプリンタ又はファクシミリ装置の一方に出力する出力手段と、
前記受付手段によって受け付けられた指示に基づいて、前記プリンタ印刷用データ変換手段又はファクス送信用データ変換手段のいずれかに前記印刷データの変換処理を実行させ、この変換処理後の印刷データを前記出力手段によって出力させる制御手段として、
コンピュータを機能させるものである。
【０００６】
この構成では、ファクス送信又はプリンタ印刷のいずれの処理を実行するかの指示の入力を促す処理選択メッセージを、表示制御手段がコンピュータの表示部に表示させ、上記いずれの処理を実行するかの指示を受付手段が受け付け、この受付手段が受け付けた指示に基づいて、制御手段がプリンタ印刷用データ変換手段又はファクス送信用データ変換手段のいずれかに前記印刷データの変換処理を実行させ、この変換処理後の印刷データを出力手段から、変換後の印刷データのデータ形式に応じてプリンタ又はファクシミリ装置の一方に出力させる。
【０００７】
また、請求項２に記載の発明は、請求項１に記載の印刷データ出力制御プログラムであって、前記表示制御手段は、前記処理選択メッセージと共に、前記印刷データについて前記ファクス送信又はプリンタ印刷のいずれの処理を実行する場合にも最低限設定される必要がある必須項目を前記表示部に表示させ、
前記受付手段は、前記表示制御手段によって前記必須項目が表示されているときに、この必須項目に対する設定指示を外部入力により受け付け、
前記制御手段は、前記受付手段によって受け付けられた設定指示に基づいて、前記プリンタ印刷用データ変換手段又はファクス送信用データ変換手段のいずれかに前記印刷データの変換処理を実行させるものである。
【０００８】
この構成では、ファクス送信又はプリンタ印刷のいずれの処理を実行する場合にも最低限設定される必要がある必須項目を、表示制御手段が処理選択メッセージと共に表示部に表示させ、この表示された必須項目に対する設定指示が受付手段で受け付けられると、この受付手段で受け付けられた設定指示に基づいて、制御手段が、プリンタ印刷用データ変換手段又はファクス送信用データ変換手段のいずれかに印刷データの変換処理を実行させる。
【０００９】
また、請求項３に記載の発明は、請求項２に記載の印刷データ出力制御プログラムであって、前記受付手段によって受け付けられた設定指示により前記必須項目が設定されたか否かを判別する判別手段を備え、
前記表示制御手段は、前記判別手段によって、不足する必須項目があると判別された場合、不足する必須項目がある旨を前記表示部に表示させるものである。
【００１０】
この構成では、受付手段で受け付けられた設定指示により必須項目が設定されたか否かを判別手段が判別し、不足する必須項目があると判別された場合は、不足する必須項目がある旨を表示制御手段が表示部に表示させる。
【発明の効果】
【００１１】
請求項１に記載の発明によれば、処理選択メッセージに対応して、ファクス送信とプリンタ印刷のいずれを実行するかを、ユーザが選択して指示を入力すれば、入力した指示に基づいて、プリンタ印刷用データ変換手段又はファクス送信用データ変換手段のいずれかが選択されて印刷データの変換処理が実行され、変換処理後の印刷データがそのデータ形式に応じてプリンタ又はファクシミリ装置の一方に出力されるので、ファクス送信又はプリンタ印刷の各処理に応じたそれぞれのドライバを選択して起動させる手間が無くなり、簡単な操作でファクス送信及びプリンタ印刷の各処理を使い分けることができる。
【００１２】
請求項２に記載の発明によれば、ファクス送信又はプリンタ印刷のいずれの処理を実行する場合にも最低限設定される必要がある必須項目が表示部に表示され、この表示された必須項目に対する設定指示が受け付けられると、受け付けられた設定指示に基づいて、プリンタ印刷用データ変換手段又はファクス送信用データ変換手段のいずれかにより印刷データの変換処理が行われるので、ユーザは、ファクス送信又はプリンタ印刷のいずれの処理を実行するか否かに関わらず、ファクス送信及びプリンタ印刷に共通する必須項目を同じ表示画面上で設定することが可能になり、操作性が向上する。
【００１３】
請求項３に記載の発明によれば、ファクス送信及びプリンタ印刷を行うために設定が必要な必須項目の入力に不足があるときは、判別手段の判別に基づく表示部の表示によってそのことを知ることができるため、ユーザは入力不足のデータを確実に入力することができ、データ不足で適正な印刷処理が行えない事態を招くことを防止することができる。
【発明を実施するための最良の形態】
【００１４】
（第１実施形態）
以下、本発明に係る実施形態を図面に基づいて説明する。図１は、本発明に係る印刷データ出力制御プログラムがインストールされたパーソナルコンピュータ（以下、ＰＣという）と、これに接続されたプリンタ及びファクシミリ装置を示すブロック図である。
【００１５】
ＰＣ１は、ＬＡＮ（Local Area Network）ケーブル、又はセントロニクスインターフェイスなどのパラレルケーブルあるいはＲＳ−２３２Ｃなどのシリアルケーブル等により、プリンタ２０と接続され、ＰＣ１から出力された印刷データがプリンタ２０で記録用紙上に印刷されるようになっている。ここで、通信Ｉ／Ｆ１６０は、ＬＡＮインタフェイス、パラレルＩ／Ｆ部又はシリアルＩ／Ｆ部として機能する。また、プリンタ２０は、ファクシミリ機能、プリンタ機能、コピー機能を備える複合機やファクシミリ装置等、プリンタ機能を備える種々の装置が含まれる。
【００１６】
ファクシミリ通信部１７０は、ファクシミリ通信に必要なデータの調整を行うものであり、公衆回線５１を通じて外部のファクシミリ装置２１とのデータ送受信を行う。ファクシミリ通信部１７０には、データ送受信相手である相手先ファクシミリ装置２１との電話回線の接続を制御するＮＣＵ（Network Control Unit）等が備えられている。
【００１７】
ＰＣ１は、上記通信Ｉ／Ｆ１６０及びファクシミリ通信部１７０の他、ＣＰＵ１００、ＲＯＭ（リードオンリーメモリ）１１０、ＲＡＭ（ランダムアクセスメモリ）１２０、記録媒体駆動装置１３０、操作部（入力装置）１４０、表示部１５０及び記憶装置（記憶部）２００を備えている。
【００１８】
ＲＯＭ１１０は、記憶装置２００や記録媒体駆動装置１３０等の周辺機器を制御するための基本プログラムであるＢＩＯＳ（basic input/output system）等を記憶している。ＲＡＭ１２０は、ＣＰＵ１００の作業領域として使用され、種々のデータを一時的に記憶する。記録媒体駆動装置１３０は、ＣＰＵ１００の制御の下、ＣＤ−ＲＯＭ、フレキシブルディスク、ＤＶＤ（digital versatile disk）等の記録媒体に記録された種々のデータを読み取る。なお、特許請求の範囲でいう記憶部には、記憶装置２００の他、ＲＡＭ１２０、記録媒体駆動装置１３０で読み取られる記録媒体や、ＰＣ１に接続される外付けハードディスク等の記録媒体も含むものとする。
【００１９】
操作部１４０は、キーボード、マウス等を含み、ユーザの操作指令を受け付け、操作指令に応じた電気信号をＣＰＵ１００に出力する。表示部１５０は、液晶パネル又はＣＲＴ（陰極線管）等から構成され、ＣＰＵ１００の制御の下に種々の画像を表示する。
【００２０】
記憶装置２００は、例えば磁気ディスクから構成され、パーソナルコンピュータを統括制御するための基本プログラムであるオペレーティングシステムや、本発明に係る印刷データ出力制御プログラム等を記憶している。この印刷データ出力制御プログラムは、外部から受付部１０２に入力された指示に基づいて、ＰＣ１の記憶装置２００等に記憶されている印刷データを、ファクス送信又はプリンタ印刷のいずれかの処理を選択して実行させるものである。印刷データ出力制御プログラムは、ＣＤ−ＲＯＭやフレキシブルディスク等の記録媒体に記録されている場合は、この記録媒体を記録媒体駆動装置１３０に装填してインストールすることで記憶装置２００に記憶される。また、印刷データ出力制御プログラムがインターネット上のＷＥＢサーバに記憶されている場合は、ＷＥＢサーバから印刷データ出力制御プログラムをダウンロードすることにより、当該プログラムを記憶装置２００に記憶させてもよい。
【００２１】
ＣＰＵ１００は、オペレーティングシステムの制御の基、印刷データ出力制御プログラムを実行することで、表示制御部１０１（表示制御手段）、受付部（受付手段）１０２、プリンタ印刷用データ変換部（プリンタ印刷用データ変換手段）１０３、ファクス送信用データ変換部（ファクス送信用データ変換手段）１０４、判別部（判別手段）１０５及び制御部（制御手段）１０６、出力部（出力手段）１０７として機能する。
【００２２】
表示制御部１０１は、ファクス送信又はプリンタ印刷のいずれの処理を実行するかの指示の入力を促す処理選択メッセージや、ファクス送信又はプリンタ印刷のいずれの処理を実行する場合にも最低限設定される必要がある必須項目を表示部１５０に表示させる。受付部１０２は、表示制御部１０１によって上記処理選択メッセージが表示部１５０に表示されているときに、ファクス送信又はプリンタ印刷のいずれの処理を実行するかの指示を外部入力により受け付けるものである。さらに、表示制御部１０１は、受付部１０２でユーザから受け付けられた必須項目に不足があると判別部１０５によって判別された場合、不足する必須項目がある旨を表示部１５０に表示させる。
【００２３】
プリンタ印刷用データ変換部１０３は、印刷データをプリンタ印刷用のデータ形式（例えば、ＰＤＬ（Page Description Language）等）に変換するものである。ファクス送信用データ変換部１０４は、印刷データをファクス送信用のデータ形式（例えば、ラスタデータ等）に変換するものである。判別部１０５は、表示制御部１０１によって表示部１５０に表示された必須項目が、受付部１０２によって受け付けられた設定指示で不足なく設定されたか否かを判別するものである。なお、上記表示制御部１０１は、判別部１０５が不足する必須項目があると判別した場合に、不足する必須項目がある旨を表示部１５０に表示させる。
【００２４】
制御部１０６は、ユーザにより受付部１０２に外部から入力された指示に従って、プリンタ印刷用データ変換部１０３又はファクス送信用データ変換部１０４のいずれかに印刷データの変換処理を実行させる。また、制御部１０６は、ユーザから受付部１０２に入力された上記必須項目を設定する指示に基づいて、プリンタ印刷用データ変換部１０３又はファクス送信用データ変換部１０４に印刷データの変換処理を実行させる。出力部１０７は、プリンタ印刷用データ変換部１０３による変換後のデータを通信Ｉ／Ｆ１６０を介してプリンタ２０に出力させ、また、ファクス送信用データ変換部１０４による変換後のデータをファクシミリ通信部１７０に出力するものである。ファクシミリ通信部１７０が受け取ったデータは、公衆回線５１を通じて外部のファクシミリ装置２１に送信される。
【００２５】
次に、印刷データ出力制御プログラムがインストールされたＰＣ１によって、プリンタ印刷及びファクス送信を行う処理を説明する。図２は、印刷データ出力制御プログラムがインストールされたＰＣ１によって、ファクス送信及びプリンタ印刷を行う処理を示すフローチャート、図３（ａ）（ｂ）はファクス送信又はプリンタ印刷の選択を促す表示画面の例である。
【００２６】
ユーザの指示により印刷データ出力制御プログラムが起動されると、表示制御部１０１は、ファクス送信又はプリンタ印刷の選択を促す処理選択メッセージと、ファクス送信又はプリンタ印刷のいずれの処理を実行する場合にも最低限設定される必要がある必須項目を表示部１５０に表示させる（Ｓ１）。この処理選択メッセージは、例えば、図３（ａ）に示す表示画面１５０１で表される。この表示画面１５０１では、出力先を選択する処理選択メッセージとして「Output」欄が表示され、この欄の横長のバーの中には、選択可能な処理（出力先）が表示されるようになっている。この横長のバーの端部に表示されている「▼」印を押すと、図３（ｂ）に示すように、選択可能な全ての処理（プリンタ及びファクス）が表示される。
【００２７】
このように、選択可能な全ての処理としてプリンタ印刷及びファクス送信が表示されている状態で、操作部１４０（マウス）によりユーザが所望の処理を選択すると、ユーザによって選択された処理での処理を実行する旨の指示が受付部１０２に受け付けられるようになっている。
【００２８】
また、上記必須項目としては、例えば、図３（ａ）の表示画面１５０１に示すように、原稿サイズ（Page size）、出力用紙サイズ（Print size）、印刷時の用紙向き（Orientation）、印刷品質（Quality）、印刷枚数（Print copies）等が表示される。この場合も、上記処理の表示の場合と同様に、各欄の横長のバーの中に、選択可能なサイズ又は品質が表示され、この横長のバーの端部に表示されている「▼」印を押すと、選択可能な全てのサイズ又は品質が表示されるようになっている。このように、選択可能なサイズ又は品質が上記バー内に表示されている状態で、操作部（マウスポインタ）１４０によりユーザが所望のサイズ又は品質を選択すると、ユーザによって選択されたサイズ又は品質での処理を実行する旨の指示を受付部１０２が受け付けるようになっている。
【００２９】
また、用紙向きは、図３（ａ）の「Orientation」欄の「○」印を操作部（マウスポインタ）１４０によりクリックすることで、縦長（Portrait）、横長（Landscape）のいずれかを選択できるようになっており、選択された項目の「○」印は「●」印に置き換えて表示される。さらに、印刷枚数は「Print copies」の欄にユーザ所望の数字（枚数値）を操作部１４０から入力するようになっている。表示画面１５０１のＯＫボタン１５０２を押下することで、表示画面１５０１で操作された処理選択指示及び各必須項目設定指示が受付部１０２に送出されて受け付けられるようになっている。
【００３０】
なお、上記処理及び各必須項目は、予めデフォルト値が定められており、ユーザが何らの設定を行わない場合でも、デフォルト値での処理が行われるようになっている。
【００３１】
再び、図２のフローチャートの説明に戻り、上記ユーザの操作によりプリンタ印刷が選択され、この選択指示を受付部１０２が受け付けると（Ｓ２で「プリンタ印刷」）、制御部１０６は、プリンタ印刷用データ変換部１０３に、受付部１０２によって受け付けられた必須項目の設定に基づいて、出力対象となっている印刷データを変換してＰＤＬデータを作成させる（Ｓ３）。そして、制御部１０６は、プリンタ印刷用データ変換部１０３によって作成されたＰＤＬデータを、出力部１０７から通信Ｉ／Ｆ１６０を介してプリンタ２０に出力させる（Ｓ４）。
【００３２】
また、上記ユーザの操作によりファクス送信が選択され、この選択指示を受付部１０２が受け付けると（Ｓ２で「ファクス送信」）、制御部１０６は、ファクス送信用データ変換部１０４に、受付部１０２によって受け付けられた必須項目の設定に基づいて、出力対象となっている印刷データを変換してラスタデータを作成させる（Ｓ５）。そして、制御部１０６は、ファクス送信用データ変換部１０４によって作成されたラスタデータを、出力部１０７からファクシミリ通信部１７０に送信し（Ｓ６）、ファクシミリ通信部１７０は公衆回線を通じて送信相手先のファクシミリ装置２１に当該データを送信させる。
【００３３】
このように、表示制御部１０１によって、表示部１５０にファクス送信又はプリンタ印刷の選択を促す処理選択メッセージが表示され、この処理選択メッセージに応じてユーザから入力された指示に基づいて、プリンタ印刷用データ変換部１０３又はファクス送信用データ変換部１０４のいずれかが選択されて印刷データの変換処理が実行され、変換処理後の印刷データがそのデータ形式に応じてプリンタ又はファクシミリ装置の一方に出力されることによって、ファクス送信又はプリンタ印刷の各処理に応じたそれぞれのドライバを選択して起動させる手間が無くなり、簡単な操作でファクス送信及びプリンタ印刷の各処理を使い分けることができる。
【００３４】
また、ファクス送信又はプリンタ印刷のいずれの処理を実行する場合にも最低限設定される必要がある必須項目が表示部１５０に表示され、この表示された必須項目に対する設定指示が受け付けられると、受け付けられた設定指示に基づいて、プリンタ印刷用データ変換手段又はファクス送信用データ変換手段のいずれかにより印刷データの変換処理が行われるので、ユーザは、ファクス送信又はプリンタ印刷のいずれの処理を実行するか否かに関わらず、ファクス送信及びプリンタ印刷に共通する必須項目を同じ表示画面１５０１上で設定することができる。
【００３５】
（第２実施形態）
次に、印刷データ出力制御プログラムがインストールされたＰＣ１によって、プリンタ印刷及びファクス送信を行う処理の第２実施形態を説明する。図４は、印刷データ出力制御プログラムがインストールされたＰＣ１によってファクス送信及びプリンタ印刷を行う処理の第２実施形態を示すフローチャートである。なお、第２実施形態の説明は図４に加えて前述の図３を参照して説明すると共に、図４において図２と同様の処理は、図２と同符号を付して説明を省略する。
【００３６】
上記第１実施形態では、処理及び各必須項目にはデフォルト値が定められており、ユーザが何らの設定を行わなかった場合であってもデフォルト値での処理が実行されるのに対して、第２実施形態は、処理及び各必須項目にはデフォルト値が定められておらず、表示画面１５０１で表示されている必須項目がユーザによって設定されなかった場合に、必須項目が設定されていない旨を表示制御部１０１が表示部１５０に表示させ、必須項目が入力されてから、ファクス送信又はプリンタ印刷の処理を実行するものである。
【００３７】
第２実施形態では、表示制御部１０１が、ファクス送信又はプリンタ印刷の選択を促す処理選択メッセージを表示部１５０に表示させた後（Ｓ１）、判別部１０５は必須項目が入力されているか否かを判別する（Ｓ１２）。
【００３８】
ここで、ユーザによる設定が不十分であり、設定が不足する必須項目があると判別された場合は（Ｓ１２でＮＯ）、表示制御部１０１は、不足する必須項目がある旨を表示部１５０に表示させる（Ｓ１３）。なお、この必須項目の設定が不足する場合とは、例えば、印刷枚数（Print copies）の数値が未入力のままで、表示画面１５０１のＯＫボタン１５０２が押下された場合等である。上記Ｓ１３の表示後、ユーザによって必須項目が設定されたことが判別部１０５によって判別された場合は（Ｓ１２でＹＥＳ）、ユーザから受付部１０２に入力された指示に基づいて、ファクス送信用又はプリンタ印刷用のデータ変換が行われる（Ｓ２乃至Ｓ６）。
【００３９】
なお、本発明は上記実施の形態の構成に限られず種々の変形が可能である。例えば、上記各実施形態では、表示画面１５０１（図２）に、必須設定項目の例として、原稿サイズ（Page size）、出力用紙サイズ（Print size）、印刷時の用紙向き（Orientation）、印刷品質（Quality）、印刷枚数（Print copies）が示されているが、本発明でいう必須項目は、これらに限定されるものではない。また、処理及び各必須項目の設定方法として、「▼」ボタンを押下する方法が示されているが、他の方法、例えば、キーボードから用紙サイズ等の数値を入力すること等の方法によるものであっても構わない。
【００４０】
また、上記の第１実施形態では、表示制御部１０１が、ファクス送信又はプリンタ印刷の選択を促す処理選択メッセージと、ファクス送信又はプリンタ印刷のいずれの処理を実行する場合にも最低限設定される必要がある必須項目とを表示部１５０に表示させるが（図２のＳ１）、表示制御部１０１は当該必須項目の表示を行わず、制御部１０６は、ファクス送信又はプリンタ印刷を選択する指示が入力された場合に、プリンタ印刷用データ変換部１０３又はファクス送信用データ変換部１０４のいずれかに印刷データの変換処理を実行させるようにしてもよい。
【図面の簡単な説明】
【００４１】
【図１】本発明に係る印刷データ出力制御プログラムがインストールされたパーソナルコンピュータと、これに接続されたプリンタ及びファクシミリ装置を示すブロック図である。
【図２】印刷データ出力制御プログラムがインストールされたパーソナルコンピュータによってファクス送信及びプリンタ印刷を行う処理の第１実施形態を示すフローチャートである。
【図３】（ａ）（ｂ）はファクス送信又はプリンタ印刷の選択を促す表示画面の例である。
【図４】印刷データ出力制御プログラムがインストールされたパーソナルコンピュータによってファクス送信及びプリンタ印刷を行う処理の第２実施形態を示すフローチャートである。
【符号の説明】
【００４２】
１        パーソナルコンピュータ
２０      プリンタ
２１      ファクシミリ装置
５１      公衆回線
１００    ＣＰＵ
１０１    表示制御部（表示制御手段）
１０２    受付部（受付手段）
１０３    プリンタ印刷用データ変換部（プリンタ印刷用データ変換手段）
１０４    ファクス送信用データ変換部（ファクス送信用データ変換手段）
１０５    判別部（判別手段）
１０６    制御部（制御手段）
１０７    出力部（出力手段）
１３０    記録媒体駆動装置
１４０    操作部
１５０    表示部
１７０    ファクシミリ通信部
２００    記憶装置（記憶部）
１５０１  表示画面
１５０２  ＯＫボタン
【図１】
2005122554.tif 000003
【図２】
2005122554.tif 000004
【図３】
2005122554.tif 000005
【図４】
2005122554.tif 000006